(57)【要約】【課題】従来の防熱板では、２枚の防熱板の一方は壁面に固定され、他方は一方の防熱板に固定されていた。そのため防熱板が汚れても容易に取り外して清掃することができないという不具合があった。また、着脱自在の天板が壁面に近接している場合には、天板の着脱の邪魔にならないように両防熱板の下端は共に壁面側に折り曲げられ、壁面と天板との間の微少な隙間に差し込まれていた。そのため、天板の表面を伝って下りる油などがその隙間に入り込み清掃しにくいという問題があった。【解決手段】固定防熱板１は壁面Ｗに固定するが、副防熱板２は固定防熱板１に対して着脱自在に構成した。かつ、副防熱板２を固定防熱板１より小さくすることにより取り外し作業やその後の清掃作業が容易になるようにした。また、副防熱板２の表面を伝って下りる油などは天板Ｐ上に流れるようにして清掃を容易に行えるようにした。【選択図】  図３
2006242437.tif 000002
【特許請求の範囲】
【請求項１】
天板がカウンタトップの上面に着脱自在に設置されたビルトインコンロの近傍の壁面に、ビルトインコンロの熱から壁面を防熱するために取り付けられる防熱板において、下端が天板の着脱に邪魔にならないように天板上に位置して壁面に固定される固定防熱板と、固定防熱板より軽量であって固定防熱板に対して着脱自在に取り付けられる着脱防熱板とで構成されたことを特徴とする防熱板。
【請求項２】
上記着脱防熱板は、固定防熱板より小型であり、かつ固定防熱板に取り付けられた状態で、ビルトインコンロのバーナに対峙することを特徴とする請求項１に記載の防熱板。
【請求項３】
天板がカウンタトップの上面に着脱自在に設置されたビルトインコンロの近傍の壁面に、ビルトインコンロの熱から壁面を防熱するために取り付けられる防熱板において、下端が天板の着脱に邪魔にならないように天板上に位置して壁面に固定される固定防熱板と、この固定防熱板に対して取り付けられると共に、固定防熱板に取り付けられた状態で下端が上記ビルトインコンロの天板上に位置し、かつ上記天板の着脱に邪魔にならない位置まで退避可能な可動防熱板とで構成されたことを特徴とする防熱板。
【発明の詳細な説明】
【技術分野】
【０００１】
本発明は、天板がカウンタトップの上面に着脱自在に設置されたビルトインコンロの近傍の壁面に、ビルトインコンロの熱から壁面を防熱するために取り付けられる防熱板に関する。
【背景技術】
【０００２】
カウンタトップに開口を設けてその開口にビルトインコンロの本体を取り付けている。そして、この本体を取り付けたあとに天板を取り付けて、煮こぼれ等が本体内に侵入しないようにしている。また、メンテナンス時等に本体内をチェックする必要から、天板はカウンタトップの上面に載置された状態から簡単に取り外すことができるように構成されている。
【０００３】
一方、厨房の設計上の制約からビルトインコンロを壁面に近接して設置しなければならない場合が生じる。この場合にはバーナが壁面に近接するため、バーナの炎や熱気によって壁面が加熱される。そこで、ビルトインコンロを壁面に近接して設置しなければならない場合には、ビルトインコンロからの熱を防熱するため、壁面に防熱板を取り付けることが義務づけられている。
【０００４】
このような防熱板として、例えば図４に示すように、壁面Ｗに対して所定の隙間を設けて取り付けられる第１防熱板Ｇ１と、第１防熱板Ｇ１とほぼ同じ大きさであって、第１防熱板Ｇ１に対して所定の隙間を設けて固定される第２防熱板Ｇ２とから構成されたものが知られている（例えば、特許文献１参照）。
【０００５】
このものでは、第１防熱板Ｇ１の下端と第２防熱板Ｇ２の下端とは共にビルトインコンロの天板Ｐの着脱に邪魔にならないように、壁面側に曲げられて天板と壁面との間に差し込まれるように構成されている。なお、Ｔはカウンタトップである。
【特許文献１】特開２００４−２６３９３３号公報（図１，図５）
【発明の開示】
【発明が解決しようとする課題】
【０００６】
上記防熱板は、ビルトインコンロが壁面Ｗに対して近接している場合に取り付けられるものであるので、天板Ｐは壁面Ｗにきわめて近接することになる。そのため、調理中の噴きこぼれや油煙が第２防熱板Ｇ２の表面に大量に付着する。特に油汚れは拭き掃除のみでは十分に除去することができない。
【０００７】
また、第２防熱板Ｇ２の表面に付着した油や汁物、あるいは清掃時の洗剤等の液体は第２防熱板Ｇ２の表面を伝って下方へと流れる。ところが、第２防熱板Ｇ２の下端は天板Ｐと壁面Ｗとの間に差し込まれるように設けられているので、第２防熱板Ｇ２の表面を伝って下方に流れた油汚れその他の液体は天板Ｐと壁面Ｗとの間に入り込み、日常の清掃では除去できない状態になる。
【０００８】
なお、１枚の板材からなる防熱板を着脱自在に設けたものは特開平１１-２２１１２７号公報に開示されているが、防熱板は壁面を大きく覆うため大型で比較的重たい。そのため、せっかく防熱板を着脱自在に取り付けても、実際に防熱板を取り外して清掃する作業は重労働となる。
【０００９】
そこで本発明は、上記の問題点に鑑み、上記の不具合の生じない防熱板を提供することを課題とする。
【課題を解決するための手段】
【００１０】
上記課題を解決するために本発明による防熱板は、天板がカウンタトップの上面に着脱自在に設置されたビルトインコンロの近傍の壁面に、ビルトインコンロの熱から壁面を防熱するために取り付けられる防熱板において、下端が天板の着脱に邪魔にならないように天板上に位置して壁面に固定される固定防熱板と、固定防熱板より軽量であって固定防熱板に対して着脱自在に取り付けられる着脱防熱板とで構成されたことを特徴とする。
【００１１】
固定防熱板を取り外して清掃する作業は重労働であるので、固定防熱板を取り外すのではなく、この固定防熱板に着脱自在に取り付けられた着脱防熱板を外して清掃することとした。固定防熱板は着脱防熱板に覆われることになるので、汚れは主に着脱防熱板に付着し、固定防熱板には取り外して清掃しなければならないほどのひどい汚れは付着しない。そして、着脱防熱板を固定防熱板より軽量に形成したので、着脱防熱板を取り外して清掃する作業が重労働にならない。
【００１２】
なお、上記着脱防熱板は、固定防熱板より小型であり、かつ固定防熱板に取り付けられた状態で、ビルトインコンロのバーナに対峙するように構成すれば、着脱防熱板が小型であるため取り外した着脱防熱板を清掃しやすくなる。また、汚れが付着するのはバーナに対峙した部分であるし、かつ防熱の必要性が高い部分も同じくバーナに対峙した部分である。そこで、着脱防熱板を小型化してもバーナと対峙する位置に取り付けることにより着脱防熱板の機能を損なわないようにした。
【００１３】
また、上記課題を解決するために本発明による他の防熱板は、天板がカウンタトップの上面に着脱自在に設置されたビルトインコンロの近傍の壁面に、ビルトインコンロの熱から壁面を防熱するために取り付けられる防熱板において、下端が天板の着脱に邪魔にならないように天板上に位置して壁面に固定される固定防熱板と、この固定防熱板に対して取り付けられると共に、固定防熱板に取り付けられた状態で下端が上記ビルトインコンロの天板上に位置し、かつ上記天板の着脱に邪魔にならない位置まで退避可能な可動防熱板とで構成されたことを特徴とする。
【００１４】
このように構成すると、可動防熱板に付着した油等が可動防熱板に沿って下方に流れても、油等は最終的に天板上に流れる。天板は煮こぼれ等が掛かることを前提に設計されているので、可動防熱板を伝ってきた油等が天板上に流れても不具合はなく、かつ天板上の油等を簡単に清掃することができる。
【発明の効果】
【００１５】
以上の説明から明らかなように、本発明は、固定防熱板に軽量の着脱自在の着脱防熱板を設けたので、着脱防熱板が汚れても着脱防熱板を容易に取り外して清掃することができる。なお、固定防熱板は着脱防熱板に覆われているので、汚れの付着が防止される。
【００１６】
また、他の発明では固定防熱板に可動防熱板を設けたので、可動防熱板に付着した油等の汚れが可動防熱板を伝って下方に流れても、ビルトインコンロの天板で汚れを受ける。天板は汚れに対して対応できるように設計されているので、その後の清掃を容易に行うことができる。
【発明を実施するための最良の形態】
【００１７】
図１を参照して、カウンタトップＴにビルトインコンロＣの本体が設置されている。そして、その本体の上面開口を天板Ｐが覆い、本体内の煮こぼれ等が侵入しないように構成されている。天板Ｐには、本実施の形態では３個のバーナＢが臨んでおり、各バーナＢ上に鍋などを載置して加熱調理を行う。
【００１８】
加熱調理の際には鍋などから煮こぼれが生じ、煮こぼれは天板Ｐ上に滴下される。天板Ｐはそのため防水構造を採用しており、多少の煮こぼれであれば、天板ＰからカウンタトップＴ側に溢れることなく、またビルトインコンロＣの本体内部に侵入することなく天板Ｐ上に溜まる。そして、溜まった煮こぼれ等は拭き取りやすく構成されている。
【００１９】
Ｗは厨房の壁面であって、壁面ＷとバーナＢとの距離が短い場合には、バーナＢからの熱によって壁面Ｗが過熱されることを防止するため、防熱板が壁面Ｗに取り付けられている。
【００２０】
防熱板は２枚の板状の部材で構成されている。第１の部材は固定防熱板１であって、壁面Ｗを広く覆うことができる大きさに成形されており、壁面Ｗに固定されている。この固定防熱板１は、壁面Ｗから取り外すことは可能であるが、大型で重量があるため、通常は取り外すことなく固定したまま使用される。
【００２１】
この固定防熱板１にはさらに第２の部材である副防熱板２が取り付けられている。この副防熱板２は着脱防熱板として、また可動防熱板として機能するものである。
【００２２】
図２を参照して、固定防熱板１の表面には水平方向に配置された左右１対のフック１２を両端部に有した保持金具１１が固定されている。一方、副防熱板２の裏面には同じく左右１対のレール２１が固定されている。副防熱板２を固定防熱板１の表面に沿わせて上方から下方にスライドさせると、レール２１とフック１２が相互に係合して、副防熱板２は固定防熱板１に対して取り付けられる。
【００２３】
図３を参照して、固定防熱板１の下端は天板Ｐの着脱に邪魔にならないように壁面Ｗ側に曲げている。これに対して副防熱板２の下端２２は折り曲げることなく、天板Ｐに載置されるようにした。
【００２４】
図１および図２に示したように、副防熱板２は固定防熱板１より小型に形成しており、固定防熱板１よりも軽量になるようにした。但しこのように副防熱板２を小型化したので、バーナＢからの熱を効率よく防熱するために、固定防熱板１に取り付けた状態でもっとも近接するバーナＢに対峙するように副防熱板２の位置を設定した。
【００２５】
そのため噴きこぼれや飛び散った油は副防熱板２にかかり、副防熱板２の表面に沿って矢示のごとく下方に流れる。副防熱板２の下端２２は天板Ｐ上に位置するので、流れ落ちた噴きこぼれや油はすべて天板Ｐ上に移動し、その後拭き取られるようにした。
【００２６】
副防熱板２の表面の汚れがひどくなると、副防熱板２を上方にスライドして固定防熱板１から取り外し、清掃すればよい。また天板Ｐを取り外す際には同様にして副防熱板２を固定防熱板１から取り外してもよいが、副防熱板２を上方にスライドするだけで、天板Ｐの着脱に邪魔にならない範囲まで下端２２が退避するので、天板Ｐの着脱時には必ずしも副防熱板２を固定防熱板１から取り外さなくてもよい。
【００２７】
ところで、副防熱板２はバーナＢの炎にあぶられて高温になる場合が生じる。その際に、副防熱板２から固定防熱板１に対して輻射伝熱される熱量を低減するため、固定防熱板１の表面を金属光沢のままにし、副防熱板２の裏面につや消しの黒色塗装をすることが望ましい。
【００２８】
なお、本発明は上記した形態に限定されるものではなく、本発明の要旨を逸脱しない範囲内において種々の変更を加えてもかまわない。
【図面の簡単な説明】
【００２９】
【図１】本発明の一実施の形態の構成を示す図
【図２】防熱板の取付構造を示す図
【図３】防熱板の下端と天板との関係を示す図
【図４】従来の防熱板の下端と天板との関係を示す図
【符号の説明】
【００３０】
１  固定防熱板
２  副防熱板
Ｔ  天板
【図１】
2006242437.tif 000003
【図２】
2006242437.tif 000004
【図３】
2006242437.tif 000005
【図４】
2006242437.tif 000006